(57)【要約】【課題】本発明は、照明器具および照明システムに関し、通信頻度を抑制できる照明器具および照明システムを得ることを目的とする。【解決手段】  本発明に係る照明器具は、光源と、制御信号に応じて該光源を点灯させる点灯ユニットと、照明制御機器からの指令に応じて、該点灯ユニットに該制御信号を送信する制御ユニットと、を備え、該制御ユニットは、該指令を記憶し、該指令を該制御信号に変換する制御部と、該点灯ユニットの起動または該点灯ユニットが該制御ユニットに接続されたことを検出する検出回路と、を備え、該検出回路が、該点灯ユニットの起動または該点灯ユニットが該制御ユニットに接続されたことを検出すると、該制御部は、該制御部に記憶された該指令に応じた該制御信号を該点灯ユニットに送信する。【選択図】図５
2018206678.tif 000002
【特許請求の範囲】
【請求項１】
光源と、
制御信号に応じて前記光源を点灯させる点灯ユニットと、
照明制御機器からの指令に応じて、前記点灯ユニットに前記制御信号を送信する制御ユニットと、
を備え、
前記制御ユニットは、
前記指令を記憶し、前記指令を前記制御信号に変換する制御部と、
前記点灯ユニットの起動または前記点灯ユニットが前記制御ユニットに接続されたことを検出する検出回路と、
を備え、
前記検出回路が、前記点灯ユニットの起動または前記点灯ユニットが前記制御ユニットに接続されたことを検出すると、前記制御部は、前記制御部に記憶された前記指令に応じた前記制御信号を前記点灯ユニットに送信することを特徴とする照明器具。
【請求項２】
光源と、
制御信号に応じて前記光源を点灯させる点灯ユニットと、
照明制御機器からの指令に応じて、前記点灯ユニットに前記制御信号を送信する制御ユニットと、
を備え、
前記制御ユニットは、
前記照明制御機器から電源が供給され、前記指令を前記制御信号に変換する制御部と、
前記点灯ユニットからの電源の供給が遮断された状態ではＬｏｗ信号を出力し、前記点灯ユニットから電源が供給されるとＨｉｇｈ信号を出力する検出回路と、
を備え、
前記制御部は、前記Ｌｏｗ信号が一定時間継続した後に、前記Ｈｉｇｈ信号が出力されると、前記点灯ユニットの起動または前記点灯ユニットが前記制御ユニットに接続されたことを判定することを特徴とする照明器具。
【請求項３】
前記制御部は、前記指令を記憶し、前記点灯ユニットの起動または前記点灯ユニットが前記制御ユニットに接続されたことを判定すると、前記制御部に記憶された前記指令に応じた前記制御信号を前記点灯ユニットに送信することを特徴とする請求項２に記載の照明器具。
【請求項４】
前記点灯ユニットは、前記制御ユニットに信号を送信し、
前記点灯ユニットが送信する信号は、前記検出回路によって受信され、前記制御部に入力されることを特徴とする請求項１〜３の何れか１項に記載の照明器具。
【請求項５】
前記点灯ユニットは、前記制御信号を受信すると、前記制御ユニットに応答信号を送信することを特徴とする請求項１〜４の何れか１項に記載の照明器具。
【請求項６】
前記制御ユニットは、前記制御信号を一定の時間間隔で前記点灯ユニットに送信することを特徴とする請求項１〜５の何れか１項に記載の照明器具。
【請求項７】
前記制御ユニットは、新たな指令を受信すると、前の指令に応じた制御信号よりも、前記新たな指令に応じた制御信号を優先して前記点灯ユニットに送信することを特徴とする請求項６に記載の照明器具。
【請求項８】
前記検出回路は、
前記点灯ユニットから電源が供給される第１回路と、
前記制御部に接続された第２回路と、
前記第１回路と前記第２回路とを絶縁し、前記第１回路から前記第２回路に信号を伝達する絶縁素子と、
を備え、
前記第１回路に前記点灯ユニットから電源が供給されると前記絶縁素子を介して前記第２回路がオンし、前記点灯ユニットの起動または前記点灯ユニットが前記制御ユニットに接続されたことが前記制御部に通知されることを特徴とする請求項１〜７の何れか１項に記載の照明器具。
【請求項９】
前記指令は、前記光源の色温度または明るさを指示する信号であることを特徴とする請求項１〜８の何れか１項に記載の照明器具。
【請求項１０】
前記指令は、前記光源の色温度および明るさを指示する信号であり、
前記制御部は、前記明るさよりも前記色温度を優先し、前記光源が発する光が前記色温度となるように、前記制御信号を生成することを特徴とする請求項１〜９の何れか１項に記載の照明器具。
【請求項１１】
前記制御信号はＵＡＲＴ方式の信号であることを特徴とする請求項１〜１０の何れか１項に記載の照明器具。
【請求項１２】
使用者から指令値が入力され、前記指令値に応じた前記指令を前記照明制御機器に送信する指令手段と、
前記指令を前記照明器具に送信し、前記照明器具を制御する前記照明制御機器と、
請求項１〜１１の何れか１項に記載の照明器具と、
を備えることを特徴とする照明システム。
【請求項１３】
前記制御ユニットには、前記照明制御機器から電源が供給されることを特徴とする請求項１２に記載の照明システム。
【発明の詳細な説明】
【技術分野】
【０００１】
本発明は、照明器具および照明システムに関する。
【背景技術】
【０００２】
特許文献１には、固体発光素子を有する１つまたは複数の光源ユニットと、外部電源から供給される電力を電力変換して光源ユニットに給電する電源ユニットとを備える照明装置が開示されている。この照明装置は、光源ユニットに供給される電力を調整するように、電源ユニットを制御するコントローラをさらに備える。コントローラは、電源ユニットから電力が供給されることで動作する。
【先行技術文献】
【特許文献】
【０００３】
【特許文献１】特開２０１６−１３４２１０号公報
【発明の概要】
【発明が解決しようとする課題】
【０００４】
特許文献１に示されるような照明装置と、コントローラにユーザ等からの指令を送信する照明制御機器とを組み合わせた照明システムが構成される場合がある。この照明システムでは、コントローラが電源ユニットから電力を供給されて動作する。このため、照明装置への電源供給が断たれると、照明制御機器と照明装置との通信が途絶える。
【０００５】
さらに、特許文献１では、コントローラが電源ユニットに送信する制御信号はＰＷＭ信号である。このため、例えば電源ユニットの消費電力等の情報を、電源ユニットからコントローラに応答するような双方向の通信ができない。
【０００６】
一方、照明制御機器からコントローラに電力を供給することが考えられる。この場合、電源ユニットへの電源供給が断たれ、再度電源が供給された場合、照明制御機器およびコントローラは、電源ユニットの起動のタイミングを把握できない。このため、一般に、照明制御機器とコントローラとの間およびコントローラと電源ユニットとの間の通信頻度を高め、コントローラによる電源ユニットの制御を可能とする場合がある。
【０００７】
しかしながら、この制御方式によると照明制御機器とコントローラとの間またはコントローラと電源ユニットとの間の通信が逼迫される可能性がある。また、電源遮断から電源ユニットの起動までの期間が短い場合、コントローラによる制御が困難となる場合があった。
【０００８】
本発明は、上述の課題を解決するためになされたもので、通信頻度を抑制できる照明器具および照明システムを得ることを目的とする。
【課題を解決するための手段】
【０００９】
本発明に係る照明器具は、光源と、制御信号に応じて該光源を点灯させる点灯ユニットと、照明制御機器からの指令に応じて、該点灯ユニットに該制御信号を送信する制御ユニットと、を備え、該制御ユニットは、該指令を記憶し、該指令を該制御信号に変換する制御部と、該点灯ユニットの起動または該点灯ユニットが該制御ユニットに接続されたことを検出する検出回路と、を備え、該検出回路が、該点灯ユニットの起動または該点灯ユニットが該制御ユニットに接続されたことを検出すると、該制御部は、該制御部に記憶された該指令に応じた該制御信号を該点灯ユニットに送信する。
【００１０】
本発明に係る照明器具は、光源と、制御信号に応じて該光源を点灯させる点灯ユニットと、照明制御機器からの指令に応じて、該点灯ユニットに該制御信号を送信する制御ユニットと、を備え、該制御ユニットは、該照明制御機器から電源が供給され、該指令を該制御信号に変換する制御部と、該点灯ユニットから電源が供給されるとＨｉｇｈ信号を出力し、該点灯ユニットからの電源の供給が遮断された状態ではＬｏｗ信号を出力する検出回路と、を備え、該制御部は、該Ｌｏｗ信号が一定時間継続した後に、該Ｈｉｇｈ信号が出力されると、該点灯ユニットの起動または該点灯ユニットが該制御ユニットに接続されたことを判定する。
【発明の効果】
【００１１】
本発明に係る照明器具では、検出回路が点灯ユニットの起動または点灯ユニットが制御ユニットに接続されたことを検出する。これに応じて、制御部は、記憶した指令に応じた制御信号を点灯ユニットに送信する。従って、通信頻度を抑制しながら点灯ユニットを制御できる。
本発明に係る照明器具では、点灯ユニットから電源が供給される検出回路により、点灯ユニットの起動または点灯ユニットが制御ユニットに接続されたことが検出される。これに応じて、照明制御機器から電源が供給される制御部により点灯ユニットを制御できる。従って、通信頻度を抑制しながら点灯ユニットを制御できる。
【図面の簡単な説明】
【００１２】
【図１】実施の形態１に係る照明器具の斜視図である。
【図２】実施の形態１に係る光源ユニットの構造を説明する図である。
【図３】実施の形態１の制御ユニットの斜視図である。
【図４】実施の形態１に係る照明器具の回路ブロック図である。
【図５】実施の形態１の制御ユニットの回路ブロック図である。
【図６】点灯ユニットが接続された状態の制御ユニットの電圧波形を示す図である。
【図７】実施の形態２に係る照明システムを説明する図である。
【図８】実施の形態２に係る照明システムの通信シーケンスを説明する図である。
【発明を実施するための形態】
【００１３】
本発明の実施の形態に係る照明器具および照明システムについて図面を参照して説明する。同じ又は対応する構成要素には同じ符号を付し、説明の繰り返しを省略する場合がある。
【００１４】
実施の形態１．
図１は、実施の形態１に係る照明器具１の斜視図である。照明器具１は、光源ユニット６と、光源ユニット６を保持する器具本体５を備える。器具本体５は、例えば、天井に固定され、取り付けられる。器具本体５により、光源ユニット６は天井に保持される。器具本体５は、天井に限らず、壁などに取り付けられても良い。
【００１５】
図２は、実施の形態１に係る光源ユニット６の構造を説明する図である。光源ユニット６は、光源４と、点灯ユニット２と、制御ユニット３とを備える。光源４は、１つ以上の発光素子を備える。点灯ユニット２は光源４を点灯させる。制御ユニット３は外部の照明制御機器からの指令に応じて、点灯ユニット２を制御する。制御ユニット３は光源ユニット６に着脱可能に設けられる。
【００１６】
図３は、実施の形態１の制御ユニットの斜視図である。制御ユニット３は、制御ユニットケース８を備える。制御ユニットケース８には、回路基板が収納されている。回路基板には、照明制御機器からの指令を、点灯ユニット２を制御する制御信号に変換する制御部が搭載されている。
【００１７】
また、回路基板には外部信号入出力端子７が搭載されている。外部信号入出力端子７は制御ユニットケース８から露出している。外部信号入出力端子７は照明制御機器と接続される。制御ユニット３は、外部信号入出力端子７により、照明制御機器からの信号を受信し、照明制御機器に信号を送信する。また、制御ユニット３は、信号線９を備える。信号線９により、制御ユニット３は点灯ユニット２と接続される。
【００１８】
図４は、実施の形態１に係る照明器具１の回路ブロック図である。点灯ユニット２は、商用電源３１から電力の供給を受けて、光源４を点灯させる。商用電源３１は、交流電源または蓄電池などの直流電源でも良い。制御ユニット３と点灯ユニット２は少なくとも４本の信号線で接続される。図３に示される信号線９は図４に示される４本の信号線を含む。制御ユニット３と点灯ユニット２とを接続する信号線は、１本の電源線、１本のグランド線および２本の制御信号線を含む。
【００１９】
２本の制御信号線は、制御ユニット３と点灯ユニット２との間の信号の送受信で使用される。２本の制御信号線により、ＵＡＲＴ（Ｕｎｉｖｅｒｓａｌ  Ａｓｙｎｃｈｒｏｎｏｕｓ  Ｒｅｃｅｉｖｅｒ−Ｔｒａｎｓｍｉｔｔｅｒ）方式のような双方向の通信が可能となる。照明制御機器から制御ユニット３に入力される指令は、例えば調光率の指示を含む。制御ユニット３によって、指令に応じた制御信号が２本の制御信号線の一方から点灯ユニット２に送信される。点灯ユニット２は制御信号に応じて、光源４の調光率が指令と一致するように、光源４へ供給する電力を変更する。
【００２０】
制御ユニット３は、照明制御機器からの信号により点灯ユニット２を直接制御できない場合に使用される。制御ユニット３では、照明制御機器の仕様に応じて、照明制御機器と通信するインターフェースの仕様が変更される。また、点灯ユニット２と制御ユニット３との間の通信プロトコルは確定させておく。制御ユニット３は、照明制御機器からの指令を、点灯ユニット２を制御する制御信号に変換する。制御信号は例えばＵＡＲＴ方式等の信号である。
【００２１】
制御信号により点灯ユニット２は制御される。従って、制御ユニット３により、照明器具１を様々な仕様の照明制御機器と通信させることができる。すなわち、点灯ユニット２に制御ユニット３を接続することで、照明器具１の機能を拡張できる。
【００２２】
図５は、実施の形態１の制御ユニット３の回路ブロック図である。外部信号入出力端子７は外部信号送受信回路２０に接続される。外部信号送受信回路２０により、制御ユニット３から照明制御機器に送信する信号が生成される。また、照明制御機器から受信した信号は、外部信号送受信回路２０により、制御部１８で処理する信号に変換される。
【００２３】
外部信号送受信回路２０には制御部１８が接続される。制御部１８は、照明制御機器からの指令を、点灯ユニット２を制御する制御信号に変換する。また、制御部１８は、照明制御機器からの指令を受信すると、その指令を記憶する。制御部１８に記憶された指令は、照明制御機器から制御部１８が受信した最新の指令である。制御部１８はマイコン等から構成される。
【００２４】
外部信号送受信回路２０には第１電源回路１９が接続される。第１電源回路１９には、外部信号送受信回路２０を介して、照明制御機器から電圧が供給される。第１電源回路１９は、照明制御機器から供給される電圧を電圧Ｖｄｄ１に変換する。電圧Ｖｄｄ１は、制御部１８を動作させる電圧である。第１電源回路１９は、制御部１８に動作電源となる電圧Ｖｄｄ１を供給する。
【００２５】
制御ユニット３は、制御信号通信端子１０を備える。制御信号通信端子１０には、点灯ユニット２と制御ユニット３とを接続する信号線９が接続される。制御信号通信端子１０は、通信用電源端子１１を有する。通信用電源端子１１には、点灯ユニット２から電圧Ｖｃｃ１が供給される。また、制御信号通信端子１０は、点灯ユニット２と制御ユニット３の回路グランドを共通にする接地用端子１２を有する。通信用電源端子１１と接地用端子１２とはコンデンサを介して接続される。
【００２６】
制御信号通信端子１０は、受信端子１３を有する。受信端子１３は、点灯ユニット２が送信する信号を受信する端子である。制御信号通信端子１０は、送信端子１４を有する。送信端子１４は、照明制御機器からの指令に応じた制御信号を、点灯ユニット２に送信する端子である。送信端子１４から送信される制御信号と、受信端子１３によって受信される信号は、例えば、ＵＡＲＴ方式の信号である。
【００２７】
通信用電源端子１１には第２電源回路１５が接続される。第２電源回路１５は、電圧Ｖｃｃ１から電圧Ｖｃｃ２を生成する。電圧Ｖｃｃ２が出力される第２電源回路１５の出力は、コンデンサを介してグランドと接続される。
【００２８】
受信端子１３は、検出回路３５を介して制御部１８のＲｘ端子と接続される。検出回路３５は、点灯ユニット２から受信した信号を、制御部１８で処理される信号に変換し、Ｒｘ端子に出力する。受信端子１３には、検出回路３５が備えるスイッチング素子２５のゲート、第１抵抗２１の一端および第２抵抗２２の一端が接続される。第１抵抗２１の他端には電圧Ｖｃｃ２が供給される。第２抵抗２２の他端にはグランドが接続される。スイッチング素子２５のソースはグランドに接続される。スイッチング素子２５のドレインには、フォトカプラ２４を構成する発光素子のカソードが接続される。
【００２９】
フォトカプラ２４を構成する発光素子のアノードには、第３抵抗２３を介してＶｃｃ２が供給される。フォトカプラ２４を構成するトランジスタのコレクタには電圧Ｖｄｄ１が供給される。フォトカプラ２４を構成するトランジスタのエミッタは、Ｒｘ端子に接続される。また、フォトカプラ２４を構成するトランジスタのエミッタは、第４抵抗２６を介してグランドと接続される。
【００３０】
検出回路３５は、フォトカプラ２４の発光素子側に接続された第１回路４１と、フォトカプラ２４のトランジスタ側に接続された第２回路４２とを備える。第１回路４１は、スイッチング素子２５と第１〜第３抵抗２１〜２３とを備える。第２回路４２は、第４抵抗２６を備える。第１回路４１には点灯ユニット２から電源が供給される。第２回路４２は制御部１８に接続され、照明制御機器から電源が供給される。
【００３１】
第１回路４１と第２回路４２とは、フォトカプラ２４によって絶縁される。つまり、検出回路３５は、フォトカプラ２４によって受信端子１３側と制御部１８側が絶縁されている。フォトカプラ２４は、第１回路４１から第２回路４２に信号を伝達する絶縁素子である。検出回路３５は、フォトカプラ２４以外の絶縁素子で絶縁されるものとしても良い。
【００３２】
送信端子１４は送信回路１７を介して制御部１８のＴｘ端子と接続される。送信回路１７は、制御部１８のＴｘ端子が出力する制御信号を、送信端子１４から送信される信号に変換する。送信回路１７は、検出回路３５と同様に、フォトカプラ等の絶縁素子を介して送信端子１４側と制御部１８側が絶縁されていても良い。
【００３３】
点灯ユニット２から供給された電圧Ｖｃｃ１より生成された電圧Ｖｃｃ２は、検出回路３５の第１回路４１側および送信回路１７に供給される。電圧Ｖｃｃ２は、検出回路３５と送信回路１７の通信に使用される。検出回路３５と送信回路１７は、電圧Ｖｃｃ２を使用して点灯ユニット２との間で送受信する信号を生成する。
【００３４】
次に、点灯ユニット２から受信端子１３に信号が入力された場合の検出回路３５の動作について説明する。例えば、点灯ユニット２の送信する信号がＮｃｈ−ＯＰＥＮドレインの方式の信号であるものとする。この場合、点灯ユニット２が送信するＨｉｇｈ信号は、受信端子１３がＯＰＥＮの状態に対応する。また、点灯ユニット２が送信するＬｏｗ信号は、受信端子１３がグランドと同電位となる状態に対応する。
【００３５】
点灯ユニット２が起動状態の場合、通信用電源端子１１に電圧Ｖｃｃ１が供給されている。このとき、第２電源回路１５によって電圧Ｖｃｃ２が生成される。また、点灯ユニット２が起動状態であり、点灯ユニット２から受信端子１３に信号が入力されていない状態では、受信端子１３はＯＰＥＮの状態である。このとき、スイッチング素子２５のゲートには、電圧Ｖｃｃ２が第１抵抗２１と第２抵抗２２とで分圧された電圧が印加される。このため、スイッチング素子２５はオンする。
【００３６】
スイッチング素子２５がオンすると、フォトカプラ２４の発光素子側に第３抵抗２３を介して電流が流れる。この結果、フォトカプラ２４のトランジスタ側がオンする。これにより、電圧Ｖｄｄ１が第４抵抗２６に印加される。すなわち、点灯ユニット２が起動状態であり、点灯ユニット２から受信端子１３に信号が入力されていない状態では、Ｒｘ端子に電圧Ｖｄｄ１が印加される。Ｒｘ端子に電圧Ｖｄｄ１が印加された状態は、Ｒｘ端子にＨｉｇｈ信号が入力された状態である。
【００３７】
この状態で、点灯ユニット２が制御ユニット３にＨｉｇｈ信号を送信したとする。この時、受信端子１３はＯＰＥＮとなる。このため、スイッチング素子２５はオンした状態となる。従って、Ｒｘ端子には電圧Ｖｄｄ１が印加され、Ｒｘ端子にはＨｉｇｈ信号が入力される。
【００３８】
次に、点灯ユニット２が制御ユニット３にＬｏｗ信号を送信したとする。この時、スイッチング素子２５のゲートはグランド電位となり、スイッチング素子２５がオフする。この結果、フォトカプラ２４の発光素子側がオフする。従って、フォトカプラ２４のトランジスタ側がオフする。Ｒｘ端子は第４抵抗２６を介して回路グランドと接続されている。従って、Ｒｘ端子にはＬｏｗ信号が入力される。
【００３９】
本実施の形態では、点灯ユニット２が送信する信号は、検出回路３５によって受信される。検出回路３５は、受信端子１３から受信した信号を、Ｈｉｇｈ信号またはＬｏｗ信号に変換する。検出回路３５で変換された信号は、制御部１８に入力される。制御部１８は、検出回路３５が出力する信号をＲｘ端子で受信することで、点灯ユニット２からの信号を受信することができる。従って、点灯ユニット２が制御ユニット３に接続され起動した状態では、検出回路３５は受信回路として機能する。
【００４０】
次に、点灯ユニット２が制御ユニット３に接続された際の動作について説明する。まず、点灯ユニット２が制御ユニット３に接続されていない場合、通信用電源端子１１に電圧Ｖｃｃ１が供給されない。このとき、電圧Ｖｃｃ２は生成されない。また、受信端子１３には信号が入力されない。このため、スイッチング素子２５のゲートはグランド電位となり、スイッチング素子２５がオフする。この結果、フォトカプラ２４のトランジスタ側がオフし、Ｒｘ端子にはＬｏｗ信号が入力される。
【００４１】
つまり、点灯ユニット２からの電源の供給が遮断された状態では、検出回路３５はＬｏｗ信号を出力する。また、上述したように、点灯ユニット２から電源が供給され、点灯ユニット２から受信端子１３に信号が入力されていない状態では、検出回路３５はＨｉｇｈ信号を出力する。検出回路３５は、点灯ユニット２が接続されるとＨｉｇｈ信号を出力する。従って、点灯ユニット２が制御ユニット３に接続されると、Ｒｘ端子に入力される信号がＬｏｗ信号からＨｉｇｈ信号に切り替わる。
【００４２】
ここで、本実施の形態の制御部１８は、Ｌｏｗ信号が一定時間継続した後に、Ｈｉｇｈ信号が出力されると、点灯ユニット２の起動または点灯ユニット２が制御ユニット３に接続されたことを判定する。従って、制御部１８は、点灯ユニット２の接続に伴うＲｘ端子への入力信号の変化から、点灯ユニット２が制御ユニット３に接続されたと判断できる。
【００４３】
また、点灯ユニット２の起動時においても、同様の動作が行われる。点灯ユニット２が起動していない場合、通信用電源端子１１に電圧Ｖｃｃ１が供給されない。このとき、Ｒｘ端子にはＬｏｗ信号が入力される。さらに、検出回路３５は、点灯ユニット２が起動しており、受信端子１３に信号が入力されていない状態では、Ｈｉｇｈ信号を出力する。このため、点灯ユニット２が起動すると、Ｒｘ端子に入力される信号がＬｏｗ信号からＨｉｇｈ信号に切り替わる。従って、制御部１８は、点灯ユニット２が起動したと判断できる。
【００４４】
すなわち、検出回路３５は、点灯ユニット２の起動または点灯ユニット２が制御ユニット３に接続されたことを検出する。第１回路４１に点灯ユニット２から電源が供給されると絶縁素子を介して第２回路４２がオンする。これにより、点灯ユニット２の起動または点灯ユニット２が制御ユニット３に接続されたことが制御部１８に通知される。検出回路３５が出力する信号により、制御部１８は点灯ユニット２の接続および起動を判定する。
【００４５】
本実施の形態では、検出回路３５は、点灯ユニット２が送信する信号を受信する受信回路と、点灯ユニット２の接続もしくは起動を検出する接続検出回路とを兼ねる。従って、本実施の形態では、受信回路と接続検出回路とを別に設ける必要がない。このため、点灯ユニット２を小型化できる。
【００４６】
さらに、制御部１８は、Ｌｏｗ信号が一定時間である判定時間の間継続すると、点灯ユニット２が接続されていないことまたは起動していないことを判定する。制御部１８に判定時間が設けられることで、制御部１８は受信端子１３からの入力信号と、点灯ユニット２の接続または起動に伴う信号とを判別できる。従って、検出回路３５により、受信端子１３からの信号の受信と、点灯ユニット２の接続または起動の検出との両方の機能を担うことができる。
【００４７】
このため、Ｒｘ端子による通信のための回路と別に、点灯ユニット２の接続または起動の検出のための新たな回路または端子を検出回路３５に追加する必要がない。従って、簡易な構成で、制御ユニット３に点灯ユニット２の接続または起動を検出する機能を付加できる。
【００４８】
図６は、点灯ユニット２が接続された状態の制御ユニット３の電圧波形を示す図である。図６では、電圧Ｖｃｃ１を１５Ｖ、電圧Ｖｄｄ１を５Ｖと仮定している。図６の縦軸は電圧を示し、横軸は時間を示す。図６の上段は、通信用電源端子１１に供給される電圧Ｖｃｃ１の波形である。図６の中段はＲｘ端子の波形であり、下段はＴｘ端子の波形である。図６を用いて、制御ユニット３に接続された点灯ユニット２の電源をオン状態からオフし、再びオンした時の照明器具１の動作について説明する。ここで、照明制御機器から制御部１８へ電源は供給され続けているものとする。
【００４９】
点灯ユニット２は、外部から電源が供給されると、電圧Ｖｃｃ１を制御ユニット３に供給する。また、点灯ユニット２への外部からの電源供給がオフされると、制御ユニット３に供給される電圧Ｖｃｃ１は遮断される。受信端子１３がＯＰＥＮの間は、Ｒｘ端子への入力信号は、電圧Ｖｃｃ１と同期する。Ｔｘ端子は、信号を出力していない間は、送信回路１７の構成にもよるが、基本的には電圧Ｖｄｄ１と同期する。
【００５０】
制御部１８は、記憶媒体を有するマイコン等から構成される。制御部１８は、照明制御機器との間で前回通信した最新の指令を記憶媒体に記憶している。ここで、指令は、光源４の色温度または明るさを指示する信号である。明るさは調光率に対応する。照明器具１の出荷時には、制御部１８には調光率または色温度の初期設定値が記憶されている。
【００５１】
Ｒｘ端子への入力信号がＬｏｗになってから判定時間であるＴ秒が経過したとする。この時、制御部１８は、点灯ユニット２が非接続であることまたは起動してないことを判定する。その後、Ｒｘ端子がＨｉｇｈになると、制御部１８は、点灯ユニット２の接続または起動を判定する。検出回路３５により点灯ユニット２の起動または点灯ユニット２が制御ユニット３に接続されたことが検出されると、制御部１８は、制御部１８に記憶された指令に応じた制御信号を点灯ユニット２に送信する。
【００５２】
本実施の形態では、制御部１８は、点灯ユニット２の接続または起動の検出後、直ちに、前回の指令に応じた制御信号をＴｘ端子から送信する。ここで、制御ユニット３と点灯ユニット２との通信が初期通信の場合は、制御部１８は、出荷時に設定された初期設定値に応じた制御信号を送信する。点灯ユニット２は、制御信号に応じて光源４を点灯させる。従って、点灯ユニット２の接続または起動の直後から、前回の指令に応じた調光率または色温度で光源４を点灯させることができる。
【００５３】
さらに、点灯ユニット２は、制御信号を受信すると、制御ユニット３に応答信号を送信する。これにより、制御部１８は制御信号が正常に点灯ユニット２に送信されたことを確認できる。
【００５４】
ここで、指令が調光率と色温度の両方の指示を含む場合について説明する。指令が、光源４の色温度および明るさを指示する信号である場合、制御部１８は、明るさよりも色温度を優先する。制御部１８は、光源４が発する光が指令に応じた色温度となるように、制御信号を生成する。この結果、点灯ユニット２は、色温度の設定を明るさの設定よりも先に認識する。
【００５５】
この結果、点灯ユニット２は、制御信号に応じた色温度の設定となるように光源４の調光率を可変する。以上から、例えば点灯ユニット２および光源４が、色温度が明るさに依存する構成である場合にも、指令に応じてスムーズに光源４の調光を変化させることができる。
【００５６】
本実施の形態では制御部１８に照明制御機器から電源が供給される。このため、照明制御機器が起動している間は、制御部１８は照明制御機器と通信できる。さらに、検出回路３５には点灯ユニット２から電源が供給される。この構成によれば、検出回路３５は、点灯ユニット２の起動または点灯ユニット２が制御ユニット３に接続されたことを直ちに検出し、制御部１８に通知できる。
【００５７】
本実施の形態では、制御ユニット３に照明制御機器のみから電源が供給される構成に比べて、点灯ユニット２の接続または起動を迅速に検出できる。また、点灯ユニット２の接続または起動を検出するために、例えば制御ユニット３が点灯ユニット２と頻繁に通信する必要がない。従って、照明器具１の通信頻度を抑制できる。また、点灯ユニット２の電源遮断から点灯ユニット２の起動までの期間が短い場合でも、点灯ユニット２の起動を検出回路３５で直ちに検出することで、制御ユニット３によって点灯ユニット２を確実に制御できる。
【００５８】
ここで、検出回路３５の構成は、点灯ユニット２の接続または起動を検出し、制御部１８に通知できれば別の構成でも良い。また、点灯ユニット２から入力される信号の受信回路と、点灯ユニット２の接続または起動の検出回路３５とを別個に設けても良い。
【００５９】
また、本実施の形態では、点灯ユニット２は、制御ユニット３に制御信号の受信を確認するための応答信号を送信するものとした。これに限らず、点灯ユニット２は、消費電力などの点灯ユニット２または光源４に関する情報を制御ユニット３に送信しても良い。また、制御部１８が記憶する指令は、最新の指令では無くても良い。例えば、制御部１８は複数の指令を記憶しても良い。
【００６０】
これらの変形は以下の実施の形態に係る照明器具および照明システムについて適宜応用することができる。なお、以下の実施の形態に係る照明器具および照明システムについては実施の形態１との共通点が多いので、実施の形態１との相違点を中心に説明する。
【００６１】
実施の形態２．
図７は、実施の形態２に係る照明システム２７を説明する図である。照明システム２７は、複数の照明器具１を備える。照明システム２７が備える照明器具１の数は１つ以上であれば良い。また、照明システム２７は、照明制御機器２８を備える。照明制御機器２８は、指令手段２９からの指令を照明器具１に送信し、照明器具１を制御する。照明制御機器２８は、照明器具１の調光等を制御する。
【００６２】
さらに、照明システム２７は、指令手段２９を備える。指令手段２９には、使用者から指令値が入力される。指令手段２９は、指令値に応じた指令を照明制御機器２８に送信する。指令手段２９は、ＰＣ（Ｐｅｒｓｏｎａｌ  Ｃｏｍｐｕｔｅｒ）またはリモコン等である。指令手段２９により、ユーザは、照明制御機器２８に直接指令を送信できる。また、指令手段２９によりユーザは照明制御機器２８からの信号を受信できる。
【００６３】
本実施の形態では、指令手段２９と照明制御機器２８とは無線通信することを想定している。ここで、指令手段２９と照明制御機器２８とを有線で直接接続しても良い。この場合も本実施の形態と同様の効果が得られる。
【００６４】
照明制御機器２８には、第１商用電源３２から電力が供給される。照明制御機器２８は、外部信号線３４を介して複数の照明器具１を制御する。一方、照明器具１には、第２商用電源３３から電力が供給される。第１商用電源３２および第２商用電源３３は、交流電源または蓄電池などの直流電源であっても良い。
【００６５】
一般に、照明システムでは、照明制御機器と照明器具の電源が分けられる。本実施の形態の照明システム２７では、照明制御機器２８の電源と点灯ユニット２の電源が分離されている。点灯ユニット２には、第２商用電源３３から電力が供給される。また、制御ユニット３の制御部１８には照明制御機器２８を介して第１商用電源３２から電力が供給される。
【００６６】
図８は、実施の形態２に係る照明システム２７の通信シーケンスを説明する図である。まず、制御ユニット３が、検出回路３５により点灯ユニット２の接続もしくは起動を検知したとする。このとき、通信１に示されるように、制御ユニット３は、制御部１８が記憶している調光率もしくは色温度に応じて制御信号を点灯ユニット２に送信する。ここで、点灯ユニット２と制御ユニット３との初期通信の場合、制御ユニット３は、制御部１８に予め定められた調光率もしくは色温度の初期設定値に応じた制御信号を送信する。
【００６７】
点灯ユニット２は、制御信号を受信すると、通信２に示されるように、受信確認のための応答信号を制御ユニット３に送信し、応答する。この応答信号は、受信した調光率または色温度についての信号を含む。ここで、制御ユニット３は、応答信号を受信しない場合、図示しない再送シーケンスに入る。再送シーケンスでは、制御ユニット３は一定時間の経過後、同一の制御信号を点灯ユニット２に再送する。
【００６８】
制御ユニット３が応答信号を受信した場合、制御ユニット３は第１定期送信を開始する。第１定期送信では、制御ユニット３は制御部１８に記憶した指令に応じた制御信号を一定の時間間隔で点灯ユニット２に送信する。通信３に示すように、制御ユニット３は、照明制御機器２８からの指令が無くても、同一の指令に応じた制御信号を第１定期送信間隔で送信する。通信４に示されるように、点灯ユニット２は、第１定期送信の制御信号に対しても、受信した調光率または色温度に応じた応答信号を送信する。
【００６９】
次に、ユーザが調光率等を変えるように、指令手段２９に指令値を入力したとする。この時、通信５に示されるように、指令手段２９は、指令値に応じた新たな指令を照明制御機器２８に対して送信する。通信６に示されるように、照明制御機器２８は、この新たな指令を外部信号線３４により照明器具１の制御ユニット３に送信する。
【００７０】
制御ユニット３は、通信７に示されるように、照明制御機器２８から新たな指令を受信すると、直ちに新たな指令に応じた制御信号を点灯ユニット２に送信する。また、制御部１８は、新たな指令を記憶する。制御ユニット３は、新たな指令を受信すると、前の指令に応じた制御信号よりも、新たな指令に応じた制御信号を優先して点灯ユニット２に送信する。つまり、制御ユニット３は第１定期送信よりも、新しい指令に応じた制御信号の送信を優先する。
【００７１】
制御ユニット３は、新たな制御信号を送信した後、第２定期送信を開始する。第２定期送信において、通信８に示されるように、制御ユニット３は新たな制御信号と同一の制御信号を一定の時間間隔である第２定期送信間隔で点灯ユニット２に送信する。例えば、指令が調光率を指示する信号である場合、制御ユニット３は、指令に応じた調光率を点灯ユニット２に送信した後、第２定期送信間隔で同一の調光率を点灯ユニット２に送信する。
【００７２】
照明システム２７では、照明制御機器２８と照明器具１の商用電源が分けられる。使用者は帰宅時に指令手段２９で光源４を消灯する。また、照明システム２７が設けられた建物に人がいなくなる深夜に、第２商用電源３３をオフする。一方で、第１商用電源３２は通電し続ける。
【００７３】
照明器具１では、制御信号により消灯された状態では待機電力が発生する。この待機電力は、照明器具１が複数台接続されている照明システム２７においては、大きな消費電力となる可能性がある。この待機電力を削減するために、使用者がいない深夜は、照明器具１の第２商用電源３３をオフする。これにより、点灯ユニット２および光源４による待機電力の発生を抑制できる。
【００７４】
一方、照明システム２７に複数台接続されない照明制御機器２８は、複数の照明器具１と比べて消費電力が少ない。このため、第１商用電源３２を照明制御機器２８に供給し続けても、大きな消費電力が発生し難い。照明制御機器２８は、深夜においても通電され続ける。これにより、消費電力を抑制しつつ、複数の照明器具１のグループ設定等の設定を照明システム２７に保持できる。
【００７５】
さらに、照明器具１の制御部１８は照明制御機器２８から電源を供給されている。このため、点灯ユニット２への第２商用電源３３の供給のオンオフに関わらず、照明制御機器２８は常に照明器具１と通信ができる。
【００７６】
本実施の形態の照明システム２７では、第２商用電源３３がオンされると、制御ユニット３は点灯ユニット２の起動を検出し、直ちに、前回の調光率もしくは色温度に応じた制御信号を送信する。従って、第２商用電源３３から電源が供給された直後に、光源４は、使用者が帰宅時に設定していた調光率もしくは色温度で制御される。
【００７７】
なお、各実施の形態で説明した技術的特徴は適宜に組み合わせて用いてもよい。
【符号の説明】
【００７８】
１  照明器具、２  点灯ユニット、３  制御ユニット、４  光源、５  器具本体、６  光源ユニット、７  外部信号入出力端子、８  制御ユニットケース、９  信号線、１０  制御信号通信端子、１１  通信用電源端子、１２  接地用端子、１３  受信端子、１４  送信端子、１５  第２電源回路、１７  送信回路、１８  制御部、１９  第１電源回路、２０  外部信号送受信回路、２１  第１抵抗、２２  第２抵抗、２３  第３抵抗、２４  フォトカプラ、２５  スイッチング素子、２６  第４抵抗、２７  照明システム、２８  照明制御機器、２９  指令手段、３１  商用電源、３２  第１商用電源、３３  第２商用電源、３４  外部信号線、４１  第１回路、４２  第２回路
【図１】
2018206678.tif 000003
【図２】
2018206678.tif 000004
【図３】
2018206678.tif 000005
【図４】
2018206678.tif 000006
【図５】
2018206678.tif 000007
【図６】
2018206678.tif 000008
【図７】
2018206678.tif 000009
【図８】
2018206678.tif 000010